【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  データ処理装置から送信された印刷情報に基づき印刷を行う印刷装置において、
前記データ処理装置と通信媒体を介して通信を行う通信手段と、通信レートまたは通信状態を測定する測定手段と、前記通信レートまたは通信状態に関する通信状態情報、印刷に要する時間または印刷モードに関する印刷関連情報を前記データ処理装置に通知する通知手段とを有することを特徴とする印刷装置。
【請求項２】  前記データ処理装置から送信された前記印刷情報を保持する記憶手段と、前記印刷情報に基づき印刷処理に関わる設定を行う印刷設定手段と、前記印刷情報に基づき印刷対象画像を生成する印刷画像生成手段と、前記印刷処理に関わる設定に従い前記印刷対象画像を印刷出力する印刷手段とを有することを特徴とする請求項１記載の印刷装置。
【請求項３】  前記通知手段は、前記データ処理装置から前記印刷情報が複数の印刷情報に分割されて送信されるごとに、現在の通信状態を前記データ処理装置に通知することを特徴とする請求項１記載の印刷装置。
【請求項４】  前記印刷装置は、複数の前記データ処理装置と通信可能であり、印刷用の複数のコンテンツ情報のレイアウトに必要なレイアウト情報と前記複数のコンテンツ情報を該当するデータ処理装置に要求する要求手段と、取得した前記複数のコンテンツ情報を前記レイアウト情報に従いレイアウトし印刷情報を作成する作成手段とを有することを特徴とする請求項１記載の印刷装置。
【請求項５】  前記通信レートの下限値を設定する設定手段と、前記通信レートが前記下限値を下回った場合に処理を中断しエラーを報知する報知手段と、処理の中断が指示された場合に実行中の印刷処理及び通信処理を終了する強制終了手段とを有することを特徴とする請求項１記載の印刷装置。
【請求項６】  前記印刷装置とは、前記データ処理装置と携帯電話機等の通信機器を介して通信可能なプリンタ或いは前記データ処理装置と通信可能な通信手段を備えたプリンタを含み、前記データ処理装置とは、サーバ或いは撮像装置を含み、前記通信媒体とは、ローカルのネットワーク或いはインターネット或いはBluetoothを含むことを特徴とする請求項１乃至５の何れかに記載の印刷装置。
【請求項７】  印刷装置に印刷情報を送信するデータ処理装置において、
前記印刷装置と通信媒体を介して通信を行う通信手段と、前記印刷装置から送信される通信状態に関する通信状態情報、印刷装置が要求する時間に関する印刷関連情報を保持する記憶手段と、前記通信状態情報及び前記印刷関連情報に基づき、前記印刷情報を前記印刷装置において一定の時間で印刷が終了可能なデータサイズに加工する加工手段とを有することを特徴とするデータ処理装置。
【請求項８】  前記印刷装置から要求された印刷時間に対して前記印刷装置への前記印刷情報の転送時間が間に合わない場合、より印刷時間を要する印刷モードを選択する選択手段と、前記選択した印刷モードにおける印刷時間に間に合うように前記印刷情報のデータサイズを変更する変更手段と、前記選択した印刷モードを前記印刷装置に通知する通知手段とを有することを特徴とする請求項７記載のデータ処理装置。
【請求項９】  前記データ処理装置とは、サーバ或いは撮像装置を含み、前記印刷装置とは、前記データ処理装置と携帯電話機等の通信機器を介して通信可能なプリンタ或いは前記データ処理装置と通信可能な通信手段を備えたプリンタを含み、前記通信媒体とは、ローカルのネットワーク或いはインターネット或いはBluetoothを含むことを特徴とする請求項７又は８記載のデータ処理装置。
【請求項１０】  前記請求項１乃至６の何れかに記載の印刷装置と、前記請求項７乃至９の何れかに記載のデータ処理装置とを備えたことを特徴とする印刷システム。
【請求項１１】  データ処理装置から送信された印刷情報に基づき印刷を行う印刷装置における通信状況通知方法において、
前記データ処理装置と通信媒体を介して通信を行う通信工程と、通信レートまたは通信状態を測定する測定工程と、前記通信レートまたは通信状態に関する通信状態情報、印刷に要する時間または印刷モードに関する印刷関連情報を前記データ処理装置に通知する通知工程とを有することを特徴とする通信状況通知方法。
【請求項１２】  印刷装置に印刷情報を送信するデータ処理装置における印刷情報制御方法において、
前記印刷装置と通信媒体を介して通信を行う通信工程と、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工する加工工程とを有することを特徴とする印刷情報制御方法。
【請求項１３】  データ処理装置から送信された印刷情報に基づき印刷を行う印刷装置に適用されるプログラムにおいて、
前記データ処理装置と通信媒体を介して通信を行う機能と、通信レートまたは通信状態を測定する機能と、前記通信レートまたは通信状態に関する通信状態情報、印刷に要する時間または印刷モードに関する印刷関連情報を前記データ処理装置に通知する機能を、コンピュータに実現させるためのプログラム。
【請求項１４】  印刷装置に印刷情報を送信するデータ処理装置に適用されるプログラムにおいて、
前記印刷装置と通信媒体を介して通信を行う機能と、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工する機能を、コンピュータに実現させるためのプログラム。
【請求項１５】  データ処理装置から送信された印刷情報に基づき印刷を行う印刷装置における通信状況通知方法を実行するプログラムを記憶したコンピュータにより読み出し可能な記憶媒体において、
前記通信状況通知方法は、前記データ処理装置と通信媒体を介して通信を行うステップと、通信レートまたは通信状態を測定するステップと、前記通信レートまたは通信状態に関する通信状態情報、印刷に要する時間または印刷モードに関する印刷関連情報を前記データ処理装置に通知するステップとを有することを特徴とする記憶媒体。
【請求項１６】  印刷装置に印刷情報を送信するデータ処理装置における印刷情報制御方法を実行するプログラムを記憶したコンピュータにより読み出し可能な記憶媒体において、
前記印刷情報制御方法は、前記印刷装置と通信媒体を介して通信を行うステップと、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工するステップとを有することを特徴とする記憶媒体。
【手続補正２】
【補正対象書類名】明細書
【補正対象項目名】００１２
【補正方法】変更
【補正の内容】
【００１２】
【課題を解決するための手段】
上記目的を達成するため、本発明は、データ処理装置から送信された印刷情報に基づき印刷を行う印刷装置において、前記データ処理装置と通信媒体を介して通信を行う通信手段と、通信レートまたは通信状態を測定する測定手段と、前記通信レートまたは通信状態に関する通信状態情報、印刷に要する時間または印刷モードに関する印刷関連情報を前記データ処理装置に通知する通知手段とを有することを特徴とする。
【手続補正３】
【補正対象書類名】明細書
【補正対象項目名】００１３
【補正方法】変更
【補正の内容】
【００１３】
また、本発明は、印刷装置に印刷情報を送信するデータ処理装置において、前記印刷装置と通信媒体を介して通信を行う通信手段と、前記印刷装置から送信される通信状態に関する通信状態情報、印刷装置が要求する時間に関する印刷関連情報を保持する記憶手段と、前記通信状態情報及び前記印刷関連情報に基づき、前記印刷情報を前記印刷装置において一定の時間で印刷が終了可能なデータサイズに加工する加工手段とを有することを特徴とする。
【手続補正４】
【補正対象書類名】明細書
【補正対象項目名】００１４
【補正方法】変更
【補正の内容】
【００１４】
また、本発明は、データ処理装置から送信された印刷情報に基づき印刷を行う印刷装置における通信状況通知方法において、前記データ処理装置と通信媒体を介して通信を行う通信工程と、通信レートまたは通信状態を測定する測定工程と、前記通信レートまたは通信状態に関する通信状態情報、印刷に要する時間または印刷モードに関する印刷関連情報を前記データ処理装置に通知する通知工程とを有することを特徴とする。
【手続補正５】
【補正対象書類名】明細書
【補正対象項目名】００１５
【補正方法】変更
【補正の内容】
【００１５】
また、本発明は、印刷装置に印刷情報を送信するデータ処理装置における印刷情報制御方法において、前記印刷装置と通信媒体を介して通信を行う通信工程と、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工する加工工程とを有することを特徴とする。
【手続補正６】
【補正対象書類名】明細書
【補正対象項目名】００１６
【補正方法】変更
【補正の内容】
【００１６】
また、本発明は、データ処理装置から送信された印刷情報に基づき印刷を行う印刷装置に適用されるプログラムにおいて、前記データ処理装置と通信媒体を介して通信を行う機能と、通信レートまたは通信状態を測定する機能と、前記通信レートまたは通信状態に関する通信状態情報、印刷に要する時間または印刷モードに関する印刷関連情報を前記データ処理装置に通知する機能を、コンピュータに実現させるためのプログラムであることを特徴とする。
【手続補正７】
【補正対象書類名】明細書
【補正対象項目名】００１７
【補正方法】変更
【補正の内容】
【００１７】
また、本発明は、印刷装置に印刷情報を送信するデータ処理装置に適用されるプログラムにおいて、前記印刷装置と通信媒体を介して通信を行う機能と、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工する機能を、コンピュータに実現させるためのプログラムであることを特徴とする。
【手続補正８】
【補正対象書類名】明細書
【補正対象項目名】００１８
【補正方法】変更
【補正の内容】
【００１８】
また、本発明は、データ処理装置から送信された印刷情報に基づき印刷を行う印刷装置における通信状況通知方法を実行するプログラムを記憶したコンピュータにより読み出し可能な記憶媒体において、前記通信状況通知方法は、前記データ処理装置と通信媒体を介して通信を行うステップと、通信レートまたは通信状態を測定するステップと、前記通信レートまたは通信状態に関する通信状態情報、印刷に要する時間または印刷モードに関する印刷関連情報を前記データ処理装置に通知するステップとを有することを特徴とする。
【手続補正９】
【補正対象書類名】明細書
【補正対象項目名】００１９
【補正方法】変更
【補正の内容】
【００１９】
また、本発明は、印刷装置に印刷情報を送信するデータ処理装置における印刷情報制御方法を実行するプログラムを記憶したコンピュータにより読み出し可能な記憶媒体において、前記印刷情報制御方法は、前記印刷装置と通信媒体を介して通信を行うステップと、前記印刷装置から送信される通信状態に関する通信状態情報、印刷装置が要求する時間に関する印刷関連情報に基づき、前記印刷情報を前記印刷装置において一定の時間で印刷が終了可能なデータサイズに加工するステップとを有することを特徴とする。
【手続補正１０】
【補正対象書類名】明細書
【補正対象項目名】０１３６
【補正方法】変更
【補正の内容】
【０１３６】
印刷装置において、測定した通信レートまたは通信状態に関する通信状態情報、印刷に要する時間または印刷モードに関する印刷関連情報をデータ処理装置に通知するため、データ処理装置は、通信レート、通信状態、印刷に要する時間に応じて、印刷情報を印刷装置へ送信することが可能となる。
【手続補正１１】
【補正対象書類名】明細書
【補正対象項目名】０１４０
【補正方法】変更
【補正の内容】
【０１４０】
また、データ処理装置において、印刷装置から送信される通信状態に関する通信状態情報、印刷装置が要求する時間に関する印刷関連情報に基づき、印刷情報を印刷装置において一定の時間で印刷が終了可能なデータサイズに加工するため、印刷装置において一定の印刷シーケンスを滞りなく終了させることが可能となる。
【手続補正１２】
【補正対象書類名】明細書
【補正対象項目名】０１４２
【補正方法】変更
【補正の内容】
【０１４２】
特に、本発明においては、印刷装置における印刷動作が一定時間内に終了することを保証するように、データ処理装置と印刷装置との間で通信レートまたは通信状態に関する通信を行い、データ処理装置側で印刷装置へ送信する印刷情報のデータサイズを変更することで、データ処理装置及び印刷装置間で任意の通信キャリアを用いて任意の実効通信レートで通信を行う場合においても、印刷装置において一定の印刷シーケンスを滞りなく終了させることが可能となり、印刷装置を利用するユーザに対しては、一定の印刷時間、或いは少なくとも望ましい印刷時間から一定の許容範囲の時間内に印刷処理を終了することを保証することが可能となる。